(57)【要約】【課題】  紐状または糸状のモップ素材から成るモップ本体の略中央の下側に、木綿や化学繊維の布地または不織布から成るカバーを取換え可能に設けて、カバーによってモップ本体の汚れを少なくし、拭き取りが良好で、且つ安価に製作でき、しかも取扱いがし易い清掃用モップを提供する。【解決手段】  多数の紐状または糸状のモップ素材を長方形状に整列して形成されたモップ本体を有する清掃用モップにおいて、  モップ本体の略中央の下側に、整列したモップ素材の伸長方向の長辺に対して略１／２から１／３ほどの長さである木綿または化学繊維の布地あるいは不織布から成るカバーを一体に、あるいは別体に設け、清掃用具の柄の先端のモップ装着部にモップ本体と一緒にカバーを交換可能に取付けできることを特徴とする。【選択図】        図１
0003128684.tif 000002
【実用新案登録請求の範囲】
【請求項１】
多数の紐状または糸状のモップ素材を長方形状に整列して形成されたモップ本体を有する清掃用モップにおいて、
モップ本体の略中央の下側に、整列したモップ素材の伸長方向の長辺に対して略１／２から１／３ほどの長さである木綿または化学繊維の布地あるいは不織布から成るカバーを一体に、あるいは別体に設け、清掃用具の柄の先端のモップ装着部にモップ本体と一緒にカバーを交換可能に取付けできることを特徴とする清掃用モップ。
【考案の詳細な説明】
【技術分野】
【０００１】
この考案は、清掃用モップに関するもので、特に一般の住宅や病院、学校、ビル等の建築物や建造物等における木製や、リノリウムまたはBタイル、あるいはコンクリートやタイル等の床や廊下、または家具等の表面を清掃、あるいは水拭き、ワックス掛け、乾拭き等に使用するモップに関するものである。
【背景技術】
【０００２】
従来、建築物や建造物の床や廊下を清掃する際に、モップを使用して水拭きしたり、ワックスを掛けて磨いたり、或いは乾拭きしたりしている。
【０００３】
このようなモップは、一般に水拭き用モップと呼ばれて、従前から使用されており、多数の木綿や化学繊維の糸状の細い綱を並列して縄暖簾状に作られ、モップ柄の先端の装着部に固定したり、或いは取換え可能に取付けている。
【０００４】
このような従来の水拭き用モップは、先端部分が多数本の細い綱状または紐状になっており、これら綱状または紐状の先端部を水に浸して絞り機の２つのローラの間で絞って、余分な水を除去して水拭きしたり、あるいはワックスを付けてワックス掛けをしたり、或いは乾拭きするように用いている。
【０００５】
このような水拭き用モップは、一般の住宅のような建築物や、病院、学校、ビル等の建造物の木製や、リノリウムまたはＢタイルの床や廊下、あるいは壁や扉等の掃除や、ワックス掛け、乾拭き等に広く用いられている。
【考案の開示】
【考案が解決しようとする課題】
【０００６】
しかしながら、従来のこのような水拭き用モップは、モップ糸と呼ばれる糸状部分が汚れ易く、汚れたモップ糸の汚れが落ち難いために、直に使用困難になって新しいモップと交換しなければならず、特に、水に浸して使用するために、汚れ易く直ぐに取換えが必要になって、寿命が短い等の欠点が見られる。
【０００７】
この考案の目的は、従来における上記の問題点を解決するために、紐状または糸状のモップ素材から成るモップ本体の略中央の下側に、木綿や化学繊維の布地または不織布から成るカバーを取換え可能に設けて、カバーによってモップ本体の汚れを少なくし、拭き取りが良好で、且つ安価に製作でき、しかも取扱いがし易い清掃用モップを提供することにある。
【課題を解決するための手段】
【０００８】
上記の目的を達成するために、この考案の清掃用モップは、多数の紐状または糸状のモップ素材を長方形状に整列して形成されたモップ本体を有する清掃用モップにおいて、モップ本体の略中央の下側に、整列したモップ素材の伸長方向の長辺に対して略１／２から１／３ほどの長さである木綿または化学繊維の布地あるいは不織布から成るカバーを一体に、あるいは別体に設け、清掃用具の柄の先端のモップ装着部にモップ本体と一緒にカバーを交換可能に取付けできることを特徴とするものである。
【考案の効果】
【０００９】
このようなこの考案の清掃用モップによれば、多数の紐状または糸状のモップ素材から成るモップ本体の略中央の下側に、木綿または化学繊維の布地あるいは不織布をカバーとして取換え可能に設けているので、カバーを安価に製作できて費用がかからず、カバーによってモップ本体の損傷と汚れを少なくしてモップ本体の寿命を延ばし、長期間の一層の使用を可能にしている。
【００１０】
また、カバーをモップ本体の下側に配置してモップ本体に対して使用することによって、モップ本体のモップ糸を大きく広げて広い面積を一度に拭くことができると共に、モップ本体のボリュームを大きくし、モップ本体のモップ糸の汚れをカバーによって防いでモップ本体の汚れを少なくし、埃を良好に吸着するので拭き取りが良く、ワックス掛けに最適であり、カバーが汚れた場合にはカバーだけを外して新たなカバーと取換えでき、汚れたカバーを洗浄して再度使用することができる。
【考案を実施するための最良の形態】
【００１１】
《実施例》
以下、この考案の実施の形態を図面に基づいて詳細に説明する。
【００１２】
図１乃至図７は、この考案の清掃用モップの一実施例を示すもので、図示されるように、清掃用モップ１は、多数の紐状または糸状のモップ糸のようなモップ素材６を長方形状に整列して形成されたモップ部材としてのモップ本体２を有している。モップ本体２は、多数の整列されたモップ糸のようなモップ素材６を、その長手方向の略中央で長辺に対して略直角な方向にテープ５を配置して縫製して、多数のモップ素材６を１つのモップ本体２として形成している。
【００１３】
図１乃至図７には、この考案の清掃用モップが示されており、図１は、この考案の清掃用モップのモップ本体とカバーの斜視図で、図２は、図１の清掃用モップのモップ本体とカバーの底面図、図３は、図２のカバーの平面図で、図４は、図３のカバーの側面図である。
【００１４】
また、図５は、この考案の清掃用モップのモップ本体とカバーを清掃用具に装着する状態を示す斜視図で、図６は、図５の清掃用具にこの考案の清掃用モップのモップ本体とカバーとを装着した状態を示す側面図、図７は、図６のこの考案の清掃用モップのモップ本体とカバーとを装着した清掃用具を用いて床や廊下等の面を清掃するようにモップ本体とカバーを押付てモップを展開した状態を示す斜視図である。
【００１５】
図１および図２に示されるように、この考案の清掃用モップ１は、糸モップと呼ばれる多数のモップ素材６を長方形状に整列して成り、モップ素材６の略中央にテープ５またはリボンを配置して縫って一体になったモップ本体２を形成している。このような清掃用モップ１のモップ本体２は、多数のモップ素材６を略中央で縫製することによって一体に形成されており、各モップ素材６は、一般的には木綿の綱や紐、或いはポリエステル繊維とレーヨン繊維とから成る化学繊維の綱や紐から作られていて、整列した糸モップとしてのモップ素材６の略中央にテープ５を配置してミシンで縫って多数のモップ素材６を１つに纏めている。テープ５は、モップ素材６の略中央で長辺に対して略直角な方向にミシンで縫い合わせており、一直線に連続して縫ったり、間隔を置いて縫ったり、あるいは適切な個所だけを適宜な止め具を用いて縫い止めすることもできる。
【００１６】
モップ本体２を構成するモップ糸のようなモップ素材６は、一定の長さに切断されて長方形状に整列され、その中央にテープ５またはリボンを配置して、例えばミシンで縫って１つのモップ本体２として形成されている。
【００１７】
このように、モップ素材６は、十分な長さに切断されて略中央で縫製され、所要の長さの多数のモップ素材６から成るモップ本体２として形成されている。
【００１８】
モップ本体２のモップ素材６は、木綿のほか、ポリエステル繊維とレーヨン繊維とから成る化学繊維の紐も好適に使用できる。勿論、モップ素材６は、このような木綿や化学繊維に限らず、他の任意の合成繊維や、麻のような天然繊維や、あるいは化学繊維と天然繊維の混紡された他の合成繊維等からも形成することもできる。
【００１９】
図１および図２に示されるように、モップ本体２の略中央に、長辺方向の長さがモップ本体２の長さの略半分以下の長さの木綿または化学繊維の布地のカバー１０をモップ本体２と一体に、あるいは別体に設け、モップ用具１００の柄１０２の先端のモップ装着部１０４にモップ本体２と一緒にカバー１０を交換可能に取付けることができる。このようなカバー１０は、木綿の布地が好適であり、他に化学繊維やタオル生地、或いは不織り布等も使用することができる。また、カバー１０は、モップ本体２の中央部分に一緒にミシン縫いしてモップ本体２と一体に作ることもできるし、モップ本体２と別体として、モップ用具への装着時にモップ本体２と一緒に装着することができる。
【００２０】
図３および図４には、この考案の清掃用モップと一緒に用いられるカバー１０の平面図と側面図が示されている。
【００２１】
カバー１０は、図１および図２に示されるモップ本体２の略１／２から１／３程の大きさに、木綿や化学繊維の布地や、タオル生地から成り、略中央で縫われて縫い目１２が設けられると共に、長辺に沿って縫い目１４によって綻びないように補強され、且つ短辺にテープ１５が縫い込まれて綻びないように同様に補強されている。
【００２２】
上記のように構成されたこの考案の清掃用モップを、清掃用具としてのモップ用具に装着して使用する使用状態について図５および図６を参照して簡単に説明する。なお、説明に当たっては、先に説明したこの考案の清掃用モップを用いて説明するが、勿論、他の同様な清掃用モップを使用できることは言うまでもない。
【００２３】
図示される清掃用具としてのモップ用具１００は、所謂、水拭き用モップとして知られる用具の一例を示すもので、木製または軽金属性あるいは合成樹脂製の棒から成る柄１０２の先端部に、合成樹脂材料で作られた固定側の装着部材１０６と、太い針金や金属ロッドで作られた可動側の押圧部材１０８とから成るモップ装着部１０４が設けられたものである。モップ装着部１０４は、柄１０２の先端にねじや接着剤で固着された固定側の装着部材１０６と、柄１０２に沿って滑動可能に設けられた可動側の押圧部材１０８との間に、モップ本体２をカバー１０と一緒に挟み込み、押圧部材１０８の操作レバー１１０を矢印方向に作動して、耳部１１４において操作レバー１１０に枢着された可動部材１１２を柄１０２に沿って上方に滑動し、押圧部材１０８を装着部材１０６に対して押圧する方向、または離間する方向に動かしてモップ本体２を交換可能に装着したり、或いは取り外したりすることができるように構成されている。可動部材１１２は、装着部材１０６との間で柄１０２を取り囲んで設けられたスプリング１１６によって上方に弾性付勢され、上方に押し上げられている。
【００２４】
操作レバー１１０は、金属板材料または合成樹脂材料によって略逆Y字形に作られ、太い針金や金属ロッドにより略山形または三角形状に形成された押圧部材１０８の上方両端部が操作レバー１１０の略中央部分に外れないように枢着されている。このような逆Y字形の操作レバー１１０の脚部１１１の先端部に可動部材１１２の耳部１１４が枢着されていて、可動部材１１２と一緒に押圧部材１０８が装着部材１０６に対して滑動可能に嵌合されている。可動部材１１２は、柄１０２に嵌合されたリング状の部材から成り、左右に直径方向外方に突出した耳部１１４を有していて、この耳部１１４が操作レバー１１０の脚部１１１の先端部に枢着されている。
【００２５】
このように構成されたモップ用具１００のモップ装着部１０４において、操作レバー１１０の操作によって、固定側の装着部材１０６と可動側の押圧部材１０８の押圧部１０９との間に、モップ本体２とカバー１０とを装着するための間隙Sが形成されるので、この間隙Sに、モップ本体２とカバー１０とを、カバー１０を下にして挿入し、挿入されたモップ本体２とカバー１０とを挟み込んで清掃用モップ１のモップ本体２をカバー１０と一緒に取付けることができるようになっている。従って、可動側の押圧部材１０８は、柄１０２に対して上下方向に滑動可能に設けられているので、柄１０２に嵌合された可動部材１１２の耳部１１４を中心とする操作レバー１１０の枢動操作によって押圧部材１０８を固定側の装着部材１０６から離間したり、あるいは押圧してモップ本体２やカバー１０を交換可能に装着することができるようになっている。
【００２６】
図５および図６に示されるように、この考案の清掃用モップ１は、このような清掃用具としてのモップ用具１００のモップ装着部１０４にモップ本体２をカバー１０と一緒に取付けて使用することができる。装着に際しては、操作レバー１１０が操作されてモップ装着部１０４の装着部材１０６と押圧部材１０８の押圧部１０９との間に間隙Sが形成されるので、この間隙Sに清掃用モップ１のモップ部材２がカバー１０と一緒に略中間にまで挿入される。
【００２７】
これによって、モップ本体２はその略中央のテープ５部分が、モップ用具１００の押圧部材１０８の押圧部１０９の上にカバー１０と一緒に大体位置されるようになる。モップ本体２がカバー１０と一緒にモップ装着部１０４の押圧部１０９の上に位置されたならば、操作レバー１１０を操作して押圧部材１０８を装着部材１０６に対してモップ本体２とカバー１０とを挟み込んで押圧するようにして、モップ本体２とカバー１０をモップ装着部１０４にしっかりと装着する。これによって、モップ本体２とカバー１０とがモップ用具１００に強固に取付けられて装着され、モップ用具１００が使用可能になる。
【００２８】
このようにモップ用具１００の使用時には、先ず、この考案のモップ本体２がカバー１０と一緒にモップ用具１００のモップ装着部１０４に装着される。
【００２９】
使用に際しては、例えば、モップ本体２の、外側のモップ糸部分とカバー１０とを使用して、掃除すべき面の上を拭くことによって乾拭きや、ワックス掛け、水拭き等の清掃を行うことができる。
【００３０】
モップ本体２とカバー１０は、装着されたモップ用具１００の押圧部材１０８の押圧部１０９から、左右両側に垂れ下がった状態になるので、いずれか一方の外側のモップ本体２の部分と、反対側のモップ本体２の部分と、中央に位置されるカバー１０と、図６のカバー１０から下方のモップ本体２の部分とを夫々使用して清掃することができる。
【００３１】
この場合に、モップ用具１００の柄１０２を中心にして左右の方向に柄１０２を回動することによってモップ本体２のモップ糸を図７に示すように略３６０度に亘って広がるようにして、中央にカバー１０を位置させ、その周囲全体に亘ってモップ素材６の先端部分が散開するように広げて使用することができる。このように、中央にカバー１０が配置されて、その周囲にモップ部材６の先端部分が広がるように展開させると、広い面積を拭き取ることができ、良好に清掃できる。また、カバー１０に木綿の生地や目の粗い布地を用いることによって、汚れを十分に拭き取ることができ、カバー１０だけを洗って交換可能に取り付けることによってモップ本体２の寿命を十分に長く延ばして使用することができ、経済的であり、モップ本体２とカバー１０の併用によってモップ素材６のボリュームを大きく出すことができ、良好な清掃に好適である。
【００３２】
このようにして、この考案の清掃用モップ１のモップ本体２にカバー１０を一緒に使用することによって、モップ本体２のモップ素材６をカバー１０と一緒に長期間に亘って使用が可能であり、製作時の費用が安価に付く。しかも、モップ本体２とカバー１０自体が操作し易く、手軽に取り扱って使用することができる。
【００３３】
上述するように、この考案の清掃用モップ１は、多数の紐状または糸状のモップ素材６としてのモップ糸から成るモップ本体２の略中央の下側に、木綿または化学繊維の布地あるいは不織布の布地をカバー１０として取換え可能に設けて清掃用具１００に交換可能に装着しているので、カバー１０を安価に製作できて費用がかからず、カバー１０によってモップ本体２の損傷と汚れを少なくしてモップ本体２の寿命を延ばし、長期間の一層の使用を可能にしている。
【００３４】
また、カバー１０を下側に配置してモップ本体２に対して使用することによってモップ本体２のモップ糸を大きく広げて広い面積を一度に拭くことができると共に、モップ本体２のボリュームを大きくし、モップ本体２のモップ糸の汚れをカバー１０によって防いでモップ本体２の汚れと損傷を少なくし、埃を良好に吸着するので拭き取りが良く、ワックス掛けに最適であり、カバー１０が汚れた場合にはカバー１０だけを外して新たなカバー１０と取換えでき、汚れたカバー１０を洗浄して再度使用することができる。
【００３５】
更に、この考案の清掃用モップ１は、水拭き用モップとして使用できると共に、乾拭き用モップとして使用することによって埃を良好に吸着して、拭き取りが良く、ワックス掛けにも最適である。
【産業上の利用可能性】
【００３６】
この考案の清掃用モップは、一般の住宅や、病院、学校、ビル等の建築物や建造物等における木製や、リノリウムまたはＢタイル、あるいはコンクリートやタイル等の床および廊下等の掃除や、水拭き、ワックス掛け、乾拭き等に広く用いられると共に、家具や各種の調度品等の表面の掃除や空拭き等に使用される。
【図面の簡単な説明】
【００３７】
【図１】この考案の清掃用モップのモップ本体とカバーの斜視図である。
【図２】図１の清掃用モップのモップ本体とカバーの底面図である。
【図３】図２のカバーの平面図である。
【図４】図３のカバーの側面図である。
【図５】この考案の清掃用モップのモップ本体とカバーを清掃用具に装着する状態を示す斜視図である。
【図６】図５の清掃用具にこの考案の清掃用モップのモップ本体とカバーとを装着した状態を示す側面図である。
【図７】図６のこの考案の清掃用モップのモップ本体とカバーとを装着した清掃用具を用いて床や廊下等の面を清掃するようにモップ本体とカバーを押付てモップを展開した状態を示す斜視図である。
【符号の説明】
【００３８】
１          清掃用モップ
２          モップ本体
４          モップ部材
５、１５    テープ
６          モップ素材
１０        カバー
１２、１４  縫い目
１００      モップ用具
１０２      柄
１０４      モップ装着部
１０６      装着部材
１０８      押圧部材
１０９      押圧部
１１０      操作レバー
１１１      脚部
１１２      可動部材
１１４      耳部
１１６      スプリング
【図１】
0003128684.tif 000003
【図２】
0003128684.tif 000004
【図３】
0003128684.tif 000005
【図４】
0003128684.tif 000006
【図５】
0003128684.tif 000007
【図６】
0003128684.tif 000008
【図７】
0003128684.tif 000009